(57)【要約】【課題】  コンクリートの側圧による接続金具からの外れが生じ難く、コンクリート型枠や接続金具の破損も生じ難い端太材受け金具を提供する。【解決手段】  この端太材受け金具１は、コンクリート型枠１０の連結ピン３１に係止されて端太材を受ける金具である。この端太材受け金具１は、端太材支持部２と連結ピン係止用の係止部３とを備える。端太材支持部２は、端太材を載せる底板２ａと、底板２ａの外側端から立ち上がって端太材を保持する立板２ｂとを有する断面Ｌ字状である。係止部３は、端太材支持部２の底板２ａの内側端から立ち上がり立板２ｂとは反対側に立ち下がる断面逆Ｕ字状である。この係止部３は、端太材支持部２の底板２ａ内側端におけるコンクリート型枠１０の両リブ１１の重なり部を避けた両側部に分けて一対設ける。【選択図】      図４
2009174132.tif 000002
【特許請求の範囲】
【請求項１】
隣接して配置される２枚のコンクリート型枠の端部のリブが重なり合う部分を、両リブに形成されたピン挿通孔に挿通した連結ピン、および前記両リブの重なり合う部分を挟む挟持部材からなる接続金具で連結したコンクリート型枠組立体に対して、前記連結ピンに係止して取付けられ、前記コンクリート型枠組立体に沿って配置される端太材を受ける端太材受け金具であって、
前記端太材を載せる底板、およびこの底板の前記コンクリート型枠に対する外側端から立ち上がって端太材を保持する立板を有する断面Ｌ字状の端太材支持部と、この端太材支持部の前記底板の内側端から立ち上がり前記立板とは反対側に立ち下がって前記接続金具の連結ピンに係止する断面逆Ｕ字状の係止部とを備え、前記係止部は、前記端太材支持部の底板内側端における前記コンクリート型枠の両リブの重なり部を避けた両側部に分けて一対設けたことを特徴とする端太材受け金具。
【請求項２】
請求項１において、前記端太材支持部の底板内側端における前記一対の係止部で挟まれる中間位置に、コンクリート型枠側に突出して前記両リブの重なり部に当接するリブ当接片を設けた端太材受け金具。
【発明の詳細な説明】
【技術分野】
【０００１】
この発明は、コンクリート型枠の組立体に沿って配置される端太材を支持する端太材受け金具に関する。
【背景技術】
【０００２】
この種の端太材受け金具の従来例として、図７に斜視図で示すように、断面Ｌ字状とされて端太材を支持する端太材支持部４２と、この端太材支持部４２に隣接して設けられる断面逆Ｕ字状の連結ピン係止部４３とを有するものが知られている（例えば特許文献１）。図８は、この端太材受け金具４１を、隣接するコンクリート型枠の接続に用いられる接続金具に取付けた状態を示した斜視図である。同図において、コンクリート型枠１０は端部にリブ１１を有し、２枚のコンクリート型枠１０は、それらの各リブ１１が互いに重なり合うように隣接して配置され、両リブ１１の重なり合う部分が接続金具３０で連結される。接続金具３０は、前記両リブ１１に形成されたピン挿通孔１２に挿通される連結ピン３１と、両リブ１１の重なり合う部分を挟む挟持部材３２とを有する。前記端太材受け金具４１は、その連結ピン係止部４３を前記接続金具３０の連結ピン３１に係止することで接続金具３０に取付けられ、この取付状態でコンクリート型枠１０の外側に突出する端太材支持部４２に端太材が支持される。
【特許文献１】特許第３０４８９０３号公報
【特許文献２】特開２００５−２９０７２４号公報
【発明の開示】
【発明が解決しようとする課題】
【０００３】
しかし、上記構成の端太材受け金具４１は、その取付状態を平面図で示す図９のように、幅方向の一端を接続金具３０の連結ピン３１に係止して取付けられる。このため、片効き状態となり、端太材受け金具４１が接続金具３０から外れ易く、コンクリート型枠１０の接続金具付近が損傷し易くなる。すなわち、コンクリート型枠１０に矢印Ｐで示すように作用する側圧によって、端太材受け金具４１に支持された端太材２０が押し出され、接続金具３０にその片側から引っ張られるようなモーメント（矢印Ｍで示す）が働くため、端太材受け金具４１が接続金具３０から外れ易い。それに伴い、コンクリート型枠１０の接続金具付近や接続金具３０も破損し易い。特に、深い基礎の打設時は、コンクリート型枠１０に作用する上記側圧が大きく、端太材受け金具４１の外れの問題が生じ易い。
【０００４】
この発明の目的は、コンクリートの側圧による接続金具からの外れが生じ難く、コンクリート型枠や接続金具の破損も生じ難い端太材受け金具を提供することである。
【課題を解決するための手段】
【０００５】
この発明の端太材支持金具は、隣接して配置される２枚のコンクリート型枠の端部のリブが重なり合う部分を、両リブに形成されたピン挿通孔に挿通した連結ピン、および前記両リブの重なり合う部分を挟む挟持部材からなる接続金具で連結したコンクリート型枠組立体に対して、前記連結ピンに係止して取付けられ、前記コンクリート型枠組立体に沿って配置される端太材を受ける端太材受け金具である。この端太材受け金具は、前記端太材を載せる底板、およびこの底板の前記コンクリート型枠に対する外側端から立ち上がって端太材を保持する立板を有する断面Ｌ字状の端太材支持部と、この端太材支持部の前記底板の内側端から立ち上がり前記立板とは反対側に立ち下がって前記接続金具の連結ピンに係止する断面逆Ｕ字状の係止部とを備え、前記係止部は、前記端太材支持部の底板内側端における前記コンクリート型枠の両リブの重なり部を避けた両側部に分けて一対設けたことを特徴とする。
この構成の端太材受け金具は、幅方向の両端に分離された一対の係止部が、コンクリート型枠の接続金物の連結ピンに対して、型枠端部のリブの重なり部の両側に位置して係止される。そのため、従来例の場合のような片効き状態とはならず、コンクリート型枠に側圧が作用した状態で、端太材受け金具は、接続金具をその両端から均等に引っ張ることになる。このため、端太材受け金具が接続金具から外れ難く、コンクリート型枠の損傷が少なくなって、コンクリート型枠の再利用可能回数が増やせ、接続金具の破損も生じ難い。
【０００６】
この発明において、前記端太材支持部の底板内側端における前記一対の係止部で挟まれる中間位置に、コンクリート型枠側に突出して前記両リブの重なり部に当接するリブ当接片を設けても良い。
この構成の場合、端太材受け金具が前記リブ当接片で、前記コンクリート型枠の両リブの重なり部に当接する。このため、底板内側端をリブの重なり部に当接させる場合に比べて、広い面で当接させることができて、強く押し当てられることによる端太材受け金具の変形や損傷が防止される。
【発明の効果】
【０００７】
この発明の端太材受け金具は、隣接して配置される２枚のコンクリート型枠の端部のリブが重なり合う部分を、両リブに形成されたピン挿通孔に挿通した連結ピン、および前記両リブの重なり合う部分を挟む挟持部材からなる接続金具で連結したコンクリート型枠組立体に対して、前記連結ピンに係止して取付けられ、前記コンクリート型枠組立体に沿って配置される端太材を受ける端太材受け金具であって、前記端太材を載せる底板、およびこの底板の前記コンクリート型枠に対する外側端から立ち上がって端太材を保持する立板を有する断面Ｌ字状の端太材支持部と、この端太材支持部の前記底板の内側端から立ち上がり前記立板とは反対側に立ち下がって前記接続金具の連結ピンに係止する断面逆Ｕ字状の係止部とを備え、前記係止部は、前記端太材支持部の底板内側端における前記コンクリート型枠の両リブの重なり部を避けた両側部に分けて一対設けたため、深基礎打設時等に生じるコンクリートの大きな側圧に対して、接続金具にかかる力が均等になって、接続金具からの外れが生じ難く、コンクリート型枠や接続金具の破損も生じ難い。
【発明を実施するための最良の形態】
【０００８】
この発明の第１の実施形態を図１ないし図５と共に説明する。図１は、布基礎等の基礎コンクリートの打設工事のために組み立てられたコンクリート型枠組立体９、およびこのコンクリート型枠組立体９に沿って配置される端太材２０を示し、この端太材２０を、この実施形態の端太材受け金具１で支持している。図２は前記端太材受け金具１の斜視図を示し、図４（Ａ）は前記コンクリート型枠組立体９における隣接して配置される２枚のコンクリート型枠１０を接続金具３０で連結した状態の斜視図である。
【０００９】
図４（Ａ）のように、コンクリート型枠１０は端部に外側面から突出したリブ１１を有し、そのリブ１１が重なり合うように２枚のコンクリート型枠１０が隣接して配置される。各リブ１１には、前記重なり状態において互いに整合する横向きのピン挿通孔１２が形成されている。
前記接続金具３０は、コンクリート型枠１０のリブ１１の前記ピン挿通孔１２に挿通される連結ピン３１と、この連結ピン３１の中間部から径方向に伸びたＵ字状で前記両リブ１１が重なり合う部分を挟む挟持部材３２とを有する。連結ピン３１の基端は、一方のコンクリート型枠１０の端部のリブ１１に平行して設けられる別のリブ１１Ａで支持される。すなわち、前記リブ１１Ａに形成された切欠部１４の開口を蓋部材１５で閉鎖して構成される支持孔１３で、前記連結ピン３１の基端が支持される。
【００１０】
端太材受け金具１は、端太材２０を支持する端太材支持部２と、前記接続金具３０の連結ピン３１に係止する係止部３とを備える。端太材受け金具１の端太材支持部２は、端太材２０を載せる底板２ａと、この底板２ａの外側端から立ち上がって端太材２０を保持する立板２ｂとを有する断面Ｌ字状とされている。底板２ａの外側端とは、この端太材受け金具１を前記接続金具３０に取付けた状態で、コンクリート型枠１０に対して外側となる端部である。端太材受け金具１の係止部３は、前記端太材支持部２における底板２の内側端から立ち上がり、端太材支持部２における立板２ｂとは反対側に立ち下がった断面Ｕ字状とされている。この係止部３は、端太材支持部２の底板２ａの内側端における前記コンクリート型枠１の両リブ１１の重なり部を避けた両側部に分けて一対設けられている。
【００１１】
図４（Ｂ）は、この端太材受け金具１を前記接続金具３０に取付けた状態を示す。端太材受け金具１は、その一対の係止部３が前記コンクリート型枠１０の両リブ１１の重なり部を挟むように位置させて、これら両係止部３を接続金具３０の連結ピン３１に係止させることで、接続金具３０に取付けられる。この取付状態で、端太材支持部２の底板２ａの内側端が前記両リブ１１の重なり部の前面に当接することにより、接続金具２０連結ピン３１を中心とする端太材受け金具１の揺動が規制され、端太材支持部２の底板２ａが水平となる姿勢に維持される。
【００１２】
この構成の端太材受け金具１によると、その取付状態を平面図で示す図５のように、幅方向の両端に分離された一対の係止部３が、２枚のコンクリート型枠１０の両リブ１１の重なり部を挟んで接続金具３０の連結ピン３１に係止した状態で使用される。そのため、コンクリート型枠１０に側圧が作用した状態で、端太材受け金具１は、接続金具３０をその両端から均等に引っ張ることになる。したがって、深基礎打設時等の大きな側圧の作用時にも、端太材受け金具１が接続金具３０から外れ難く、コンクリート型枠１０の接続金具３０の付近が損傷し難くて、コンクリート型枠１０の再利用可能回数が多くなる。また接続金具３０も破損し難くなる。
【００１３】
図６は、この発明の他の実施形態を示す。この実施形態では、図２の端太材受け金具１において、端太材支持部２の底板２ａの内側端における一対の係止部３で挟まれる中間位置に、コンクリート型枠１０側に突出して前記両リブ１１の重なり部の前面に当接する断面逆Ｌ字状のリブ当接片４を設けている。その他の構成は先の実施形態の場合と同様である。
【００１４】
この端太材受け金具１では、前記接続金具３０に取付けた状態で、端太材支持部２における底板２ａの内側端がコンクリート型枠１０の両リブ１１の重なり部の前面に直接当接するのではなく、前記リブ当接片４が当接する。このため、コンクリート型枠１０からの側圧により端太材支持部２に無理な力が作用して底板２ａが変形するのを防止することができる。
【図面の簡単な説明】
【００１５】
【図１】この発明の一実施形態にかかる端太材受け金具をコンクリート型枠の組立工事に使用した状態を示す説明図である。
【図２】同端太材受け金具の斜視図である。
【図３】（Ａ）は同端太材受け金具の平面図であり、（Ｂ）は同側面図、（Ｃ）は同背面図、（Ｄ）は同正面図である。
【図４】（Ａ）は同端太材受け金具を取付ける前の接続金具の使用状態を示す斜視図、（Ｂ）は同接続金具へ端太材受け金具を取付けた状態を示す斜視図である。
【図５】同端太材受け金具への作用力についての説明図である。
【図６】この発明の他の実施形態にかかる端太材受け金具の斜視図である。
【図７】従来の端太材受け金具の斜視図である。
【図８】同端太材受け金具を接続金具に取付けた状態を示す斜視図である。
【図９】同端太材受け金具への作用力についての説明図である。
【符号の説明】
【００１６】
１…端太材受け金具
２…端太材支持部
２ａ…底板
２ｂ…立板
３…係止部
４…リブ当接片
９…コンクリート型枠組立体
１０…コンクリート型枠
１１…リブ
１２…ピン挿通孔
２０…端太材
３０…接続金具
３１…連結ピン
【図１】
2009174132.tif 000003
【図２】
2009174132.tif 000004
【図３】
2009174132.tif 000005
【図４】
2009174132.tif 000006
【図５】
2009174132.tif 000007
【図６】
2009174132.tif 000008
【図７】
2009174132.tif 000009
【図８】
2009174132.tif 000010
【図９】
2009174132.tif 000011